(57)【要約】【課題】音楽プレーヤの機能を有する携帯電話機と固定回線に繋がった電話装置との連携を向上でき、電話装置を音楽再生の外部スピーカとして兼用でき電話装置を提供する。【解決手段】電話装置は、携帯電話機との間でデータを無線通信する近距離無線通信部と、音声データを音声出力するスピーカを備え、携帯電話機から離れた場所から携帯電話機の音楽再生機能を遠隔操作できるとともに、音楽再生中に携帯着信または発信が生じた場合には再生停止操作を行う事なく自動的に無線リソースを通話用に切り替えて音楽再生を停止させ、スムーズに通話状態に遷移する。【選択図】図２
2015115949.tif 000002
【特許請求の範囲】
【請求項１】
固定電話網に接続される電話装置であって、
前記電話装置内の制御を行うとともに、携帯電話機との間でデータを近距離無線通信するための制御を行う制御部と、
音声データを音声出力するスピーカと、
前記近距離無線通信により通信部により受信された携帯電話機からの音声データを再生し、前記音声データを前記スピーカに出力する音声処理部と、を備え、
前記制御部は、音楽再生動作をしている前記携帯電話機から受信した音声データを再生している時に前記電話装置から発信の操作があったときに、音楽再生の為の無線リソースを解放し、通話の為の無線リソースを設定する処理を開始し、前記処理が開始されたことに従って携帯着信シーケンスを実行することを特徴とする電話装置。
【請求項２】
固定電話網に接続される電話装置において、近距離無線通信によって携帯電話機との間で通信を行い、前記携帯電話機との間で連携するための携帯電話連携方法であって、
前記電話装置は、
前記電話装置において携帯電話機との間で近距離無線通信の接続を行うステップと、
前記近距離無線通信によって前記携帯電話機から受信した音声データを再生し、前記電話装置のスピーカにより前記音声データを音声出力するステップと、
音楽再生動作をしている携帯電話機から前記近距離無線通信によって受信した音声データを再生している時に前記電話装置から発信の操作があったときに、音楽再生の為の無線リソースを解放するステップと、
前記音楽再生の為の無線リソースを解放した後で前記近距離無線通信の通話の為の無線リソースを設定する処理を開始するステップと、
前記処理が開始されたことに従って携帯着信シーケンスを実行するステップと、
を有する携帯電話連携方法。
【発明の詳細な説明】
【技術分野】
【０００１】
本発明は、携帯電話機との連携動作を可能にした電話装置及び携帯電話連携方法に関する。
【背景技術】
【０００２】
近年、様々な音楽を再生する機能を備えた携帯型音楽プレーヤが広く普及し、音楽プレーヤに専用の外部スピーカを接続し、音楽プレーヤの楽曲を、より大音量で愉しむことができる。携帯型音楽プレーヤには、専用の音楽プレーヤ以外に、携帯電話端末（例えば、スマートホン、携帯電話機）に音楽プレーヤの機能が搭載される場合もある。
【０００３】
特許文献１では、携帯電話機とポータブルオーディオ再生機にアクセスすることができるポータブルオーディオシステムが開示されている。これは携帯電話機とポータブルオーディオ再生機と操作手段を有するヘッドフォンとで構成され、携帯電話の着信はポータブルオーディオ再生機の楽曲の再生を妨げることなく伝達するよう構成し、楽曲再生中に着信があっても、再生を中断することなく着信を確実に伝達する。
【０００４】
特許文献２では、携帯電話機において、複数の音楽データと着信音データとを記憶する記憶部と、Ｂｌｕｅｔｏｏｔｈ（登録商標）等の近距離無線通信部を備え、外部の近距離無線通信機能を備えたオーディオ機器に対して第１の音楽データを送信中に携帯着信が割り込んだ場合、第１の音楽データの送信を停止し、送信していた第１音楽データとは別の第２の音楽データ（例えば着信音データ）を前記オーディオ機器に対して送信する。
【０００５】
また、固定電話回線に接続された電話機と携帯電話機を連携させるものが特許文献３に開示されている。特許文献において、携帯電話機は基地局と通信を行う無線部と、固定電話機との近距離無線通信を行う為のＢｌｕｅｔｏｏｔｈ（登録商標）等の近距離無線部を備え、携帯電話の着信が発生した場合には自身の呼び出しに加え、所定条件が満たされた場合に近距離無線部を介して固定電話機を呼び出すことが開示されている。また特許文献３では、固定電話機の中央制御部は固定電話機が応答した場合には近距離無線部を介し携帯電話機に対しそのことを伝え、固定電話機の通話路設定部は応答の後に近距離無線部を介して携帯電話機側の発信者との通話路を設定する。
【先行技術文献】
【特許文献】
【０００６】
【特許文献１】特開２００６−２９５７８３号公報
【特許文献２】特開２００６−３１９５７２号公報
【特許文献３】特開２００５−３３６３５号公報
【発明の概要】
【発明が解決しようとする課題】
【０００７】
携帯電話機のオーディオ再生機能を使って音楽を再生させる際に、固定電話回線に接続された電話機と携帯電話機を連携させ、再生音信号を近距離無線通信によって固定電話機に送り、固定電話機を音楽再生の為の外部スピーカ代わりに使う事が考えられる。但し、携帯電話機の音楽再生時に携帯電話機と固定電話機の連携が不十分であと幾つかの問題が発生する。
【０００８】
固定電話機をオーディオ再生機のスピーカ代わりに使う場合、携帯電話機は固定電話機から離れた所に置かれる事が多く、携帯電話機の着信時、携帯電話機が発する呼び出し音をユーザが聞く事が出来ない。特許文献２におけるオーディオ機器を固定電話機に置き換えたものを想定した場合、携帯電話の着信が発生した時に、携帯電話機は再生中の音楽データに代えて着信音データを固定電話機へ送るものとなる。但しこの動作はそのような仕組みを持つ携帯電話機を使う場合に限られ、また携帯電話機側の発信者との通話路を設定する点は開示されていない。また着信に応答して固定電話機による通話を開始した場合、音楽の再生音が通話の妨げになることもある。
【０００９】
特許文献３は、固定電話機にて携帯着信に応答した場合に、Ｂｌｕｅｔｏｏｔｈ（登録商標）等の近距離無線部を介して携帯電話機側の発信者との通話路を設定するものであるが、通話路を設定する際にそれまで音楽再生の為に近距離無線部が確保していた無線リソースを変更するのか、またはそのまま使うのか、あるいは音声双方向通話路を設定する為に固定電話機側から携帯電話機に対して音声を送る方向の音声チャンネルをどのように確立するのかについては解決されていない。
【００１０】
また、音楽再生の為に近距離無線部が確保していた無線リソースが広帯域を確保するものである場合、その無線リソースをそのまま通話路として使うのであれば、通話のためには不必要は広い帯域となる。コスト等の関係で近距離無線部のリソースが限られている場合、音声通話路を設定する為には狭い帯域の双方向通話路に設定し直す必要があるが、何れの先行技術文献にも解決策は開示されていない。
【００１１】
本発明は、上記事情に鑑みてなされたものであり、携帯電話機により音声データを再生する場合の携帯電話機とコードレス電話装置との連携を向上でき、音楽再生時に着信または発信が生じた場合でもスムーズに通話状態に遷移できるコードレス電話装置及び携帯電話連携方法を提供する。
【課題を解決するための手段】
【００１２】
本発明の電話装置は、固定電話網に接続される電話装置であって、  固定電話網に接続される電話装置であって、前記電話装置内の制御を行うとともに、携帯電話機との間でデータを近距離無線通信するための制御を行う制御部と、音声データを音声出力するスピーカと、前記近距離無線通信により通信部により受信された携帯電話機からの音声データを再生し、前記音声データを前記スピーカに出力する音声処理部と、を備え、前記制御部は、音楽再生動作をしている前記携帯電話機から受信した音声データを再生している時に前記電話装置から発信の操作があったときに、音楽再生の為の無線リソースを解放し、通話の為の無線リソースを設定する処理を開始し、前記処理が開始されたことに従って携帯着信シーケンスを実行するようにしたものである。
【発明の効果】
【００１３】
本発明によれば、電話装置を携帯電話機の音楽再生の外部スピーカとして兼用でき、携帯電話機から離れた場所から携帯電話機の音楽再生機能を遠隔操作できるとともに、音楽再生中に携帯着信または発信が生じた場合には再生停止操作を行う事なく、自動的に無線リソースを通話用に切り替えて音楽再生を停止させ、スムーズに通話状態に遷移する事ができる。またコードレス電話子機を伴う場合は、携帯電話機若しくはコードレス電話親機から離れた場所で楽曲情報が確認でき、コードレス電話親機のスピーカによって音楽再生しながらコードレス電話子機の操作によって通話起動（他の機能の操作）が自由に行える。
【図面の簡単な説明】
【００１４】
【図１】本発明の実施形態におけるコードレス電話装置の構成例を示すブロック図
【図２】本発明の実施形態におけるコードレス電話親機の構成例を示すブロック図
【図３】本発明の実施形態におけるコードレス電話子機の構成例を示すブロック図
【図４】本発明の実施形態において連携する携帯電話機の構成例を示すブロック図
【図５】本発明の実施形態におけるコードレス電話装置と携帯電話機が連携する場合の動作例を示すシーケンス図
【図６】本発明の実施形態において携帯電話網から携帯電話機に着信が有った場合の連携動作を示すシーケンス図
【図７】本発明の実施形態におけるコードレス電話装置の親機と携帯電話機との間の携帯連携制御を詳細に説明するシーケンス図
【図８】本発明の実施形態におけるコードレス電話装置の親機と携帯電話機との間の携帯連携制御において再生操作をした場合を詳細に説明するシーケンス図
【図９】本発明の実施形態におけるコードレス電話装置の親機と携帯電話機との間の携帯連携制御において携帯着信があった場合の連携制御を詳細に説明するシーケンス図
【図１０】本発明の実施形態におけるコードレス電話装置の親機と携帯電話機との間の携帯連携制御において着信応答を行った場合を詳細に説明するシーケンス図
【図１１】本発明の実施形態におけるコードレス電話装置の親機と携帯電話機との間の携帯連携制御において携帯発信を行った場合の連携制御を詳細に説明するシーケンス図
【図１２】本発明の実施形態におけるコードレス電話装置の親機と携帯電話機との間の携帯連携制御において携帯発信を行った場合の連携制御を詳細に説明するシーケンス図
【発明を実施するための形態】
【００１５】
以下、本発明を実施するための一形態であるコードレス電話装置及び携帯電話機と連携する為の連携方法について説明する。図１は本発明の実施形態であるコードレス電話装置の構成例を示す模式図である。以下では、「コードレス電話」を「ＣＤＬ」と略記する。
【００１６】
図１に示すＣＤＬ装置１の例は、ＣＤＬ装置１及び携帯電話機３０ａ、携帯電話機３０ｂを含む。ＣＤＬ装置１は、ＣＤＬ親機１００と、ＣＤＬ子機２００（２００Ａ，２００Ｂ）を含む。
【００１７】
ＣＤＬ親機１００は、携帯電話機３０と連携する機能を有する。携帯電話機３０は携帯電話網５０を介して音声通話を行う。例えば携帯電話機３０ａは、多機能を有する所謂スマートホンであり、その機能の中に音楽プレーヤの機能を含む。
【００１８】
なお図１では、ＣＤＬ装置１に２台のＣＤＬ子機２００Ａ、２００Ｂが含まれるが、ＣＤＬ子機の数は１台または３台以上でも良い。
【００１９】
ＣＤＬ親機１００は、固定電話網４０の電話回線に接続される。ＣＤＬ親機１００とＣＤＬ子機２００との間は無線接続されるので、ＣＤＬ子機２００の位置は例えば宅内において自由に移動できる。
【００２０】
ＣＤＬ親機１００は、固定電話網４０を経由して他の電話装置７０と接続され、各種通信（例えば通話）を実施する。ＣＤＬ子機２００は、ＣＤＬ親機１００及び固定電話網４０を経由して他の電話装置と接続され、各種通信（例えば通話）を実施する。
【００２１】
ＣＤＬ装置１は、ＣＤＬ親機１００とＣＤＬ子機２００との間の無線通信の方式は、公知のコードレス電話装置で使用されている方式を採用すれば良く、例えば、１．９ＧＨｚ帯を使用するＰＨＳ方式、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）方式や、２．４ＧＨｚ帯を使用するＷＤＣＴ（Ｗｏｒｌｄｗｉｄｅ  Ｄｉｇｉｔａｌ  Ｃｏｒｄｌｅｓｓ  Ｔｅｌｅｐｈｏｎｅ）方式等がある。
【００２２】
ＣＤＬ親機１００と携帯電話機３０との間の無線通信の方式は、宅内での近距離無線通信技術として利用されている通信方式であれば良く、例えば、ＩＥＥＥ８０２．１５．１の方式（Ｂｌｕｅｔｏｏｔｈ（登録商標））、ＩＥＥＥ８０２．１１の方式（無線ＬＡＮ）、又はＩＥＥＥ８０２．１５．４の方式（Ｚｉｇｂｅｅ（登録商標））などの通信方式が有る。以降のＣＤＬ親機１００と携帯電話機３０との間の無線通信方式は、Ｂｌｕｅｔｏｏｔｈ（登録商標）によって無線接続して連携動作する例について説明する。
【００２３】
携帯電話機３０が音声データ（オーディオデータ）を再生する場合、音声データをＣＤＬ親機１００が備えるスピーカ１２９，１３０から音声出力（音響として出力）してもよい。つまり、ＣＤＬ親機１００のスピーカ１２９，１３０を、携帯電話機３０の外部スピーカとして使用できる。
【００２４】
携帯電話機３０により再生される音声データは、例えば、音楽（音楽）のデータ、会話が録音された音声のデータ、周囲音のデータ、その他の一般的な音楽プレーヤにより再生可能な音に関するデータを広く含む。
【００２５】
携帯電話機３０が音声データを再生する場合、ＣＤＬ子機２００がＣＤＬ親機１００を経由して携帯電話機３０を遠隔操作してもよい。つまり、ＣＤＬ子機２００を携帯電話機３０のリモコンとして使用できる。
【００２６】
次に、ＣＤＬ親機１００の構成例について説明する。図２はＣＤＬ親機１００の構成例に示すブロック図である。
【００２７】
ＣＤＬ親機１００は、固定電話回線Ｉ／Ｆ（インタフェース）部１０１、記憶部１０３、音声入出力制御部１０４、操作部１０５、表示部１０６、ＣＤＬ無線Ｉ／Ｆ部１０７、及びＣＤＬプロトコル制御部１０８を備える。ＣＤＬ親機１００は、親機制御部１０９、無線ＬＡＮ制御部１２１、無線ＬＡＮ通信Ｉ／Ｆ部１２２、Ｂｌｕｅｔｏｏｔｈ（登録商標）制御部１２３、及びＢｌｕｅｔｏｏｔｈ（登録商標）通信Ｉ／Ｆ部１２４を備える。ＣＤＬ親機１００は、留守番電話制御部１２５、子機／携帯端末充電部１２６、ＵＳＢ（Ｕｎｉｖｅｒｓａｌ  Ｓｅｒｉａｌ  Ｂｕｓ）通信Ｉ／Ｆ部１２７、マイクロホン（ＭＩＣ）１０ａ、及びスピーカ（ＳＰＫ−Ｌ，ＳＰＫ−Ｒ）１２９，１３０を備える。
【００２８】
親機制御部１０９は、呼制御部１１０、子機リモコン制御部１１１、音声ストリーム処理部１１２、及び音楽プレーヤ制御部１１３を含む。
【００２９】
固定電話回線Ｉ／Ｆ部１０１は、回線制御回路（ＮＣＵ：Ｎｅｔｗｏｒｋ  Ｃｏｎｔｒｏｌ  Ｕｎｉｔ）及びモデムを含む。ＮＣＵは、電話回線の制御を行い、例えば、固定電話網４０からの着呼を検出し、発呼時に固定電話網４０を捕捉接続する。モデムは、例えば、着呼時に固定電話網４０からの発信者番号情報等を受信する。なお、固定電話回線Ｉ／Ｆ部１０１は、回線制御回路の構成によって、アナログ電話回線との接続に限定するものでなく、ＩＳＤＮ回線、およびＩＰ電話回線等のデジタル電話回線に接続できる。
【００３０】
記憶部１０３は、揮発性メモリ（ＲＡＭ）と不揮発性メモリ（ＲＯＭ／ＥＰＲＯＭ等）を含んで構成される。記憶部１０３は、各種プログラム、及び、各種情報（例えば、ＣＤＬ装置１の動作条件を定める各種パラメータ、電話帳情報、発着信履歴情報）を記憶する。
【００３１】
音声入出力制御部１０４は、音声バスからのデジタル信号化された音声データをアナログ変換してスピーカ１２９，１３０への出力制御、および、親機制御部１０９からの指示による音量出力制御、音質制御を行う。また、マイクロホン１２８から受信したアナログ音声をデジタル音声化して音声バスへの送信制御を行う。マイクロホン１２８及びスピーカ１２９，１３０を用いて、ハンズフリー通話を行う場合に使用される。また、スピーカ１２９，１３０に出力される音声信号には、通話音声以外に、例えば、着信音、携帯電話機３０から取得された音声データが含まれ、着信音の出力や、携帯電話機の外部スピーカとして使用される。なお、スピーカ１２９，１３０からは、音声入出力制御部１０４が受信した音声データによって、ステレオ音またはモノラル音が出力される。
【００３２】
操作部１０５は、例えば、ユーザが操作可能な複数のボタンを含み、操作入力を受け付ける。ボタンには、例えば、発信時のダイヤル入力に必要なダイヤルキー、音楽プレーヤ連携制御のための再生キー／停止キー／一時停止キー等の各種機能が割り当てられたファンクションキー、スピーカからの音量を調整する音量調整キー、表示部１０６の表示位置に対応付けられ表示されている機能を起動するためのソフトキー、が含まれる。
【００３３】
表示部１０６は、液晶ディスプレイとそのドライバを含んで構成され、各種情報（例えば、電話番号、通信先又は通信元の情報、操作案内情報）を表示する。
【００３４】
ＣＤＬ無線Ｉ／Ｆ部１０７は、ＣＤＬ子機２００との間において無線通信するための送受信回路を含む。図示しないが、ＣＤＬ無線Ｉ／Ｆ部１０７は、ＲＦ（Ｒａｄｉｏ  Ｆｒｅｑｕｅｎｃｙ）部で、アンテナを介して無線信号の送受信を行う。またＣＤＬ無線Ｉ／Ｆ部１０７は、子機へ音楽の再生音声信号を転送するための音楽転送用インタフェース部にもなり、時分割通信の送信フレームの中に設定されたペイロードに再生音声のＡＤＰＣＭ信号を挿入してＣＤＬ子機２００へ送信する。
【００３５】
ＣＤＬプロトコル制御部１０８は、ＣＤＬ子機２００との間でデータを送受信するプロトコルスタック部で、ＣＤＬ子機２００との間の制御プロトコル（例えば、ＤＥＣＴプロトコル方式、ＰＨＳプロトコル方式）に従ったプロトコル制御を行う。
【００３６】
親機制御部１０９は、例えば、マイクロコンピュータを主体とするハードウェアを含んで構成され、予め組み込まれたプログラムを実行することにより、親機制御部１０９が有する各種機能を実現する。親機制御部１０９は、ＣＤＬ親機１００全体を制御する。
【００３７】
呼制御部１１０は、操作部１０５、固定電話回線Ｉ／Ｆ部１０１又はＣＤＬプロトコル制御部１０８（ＣＤＬ子機２００）から通知されたイベント又は各種メッセージを処理し、ＣＤＬ親機１００に発生した呼の状態管理、及び呼接続を行う。また、呼制御部１１０では、着信音の出力／停止の制御や、後述する子機リモコン制御部１１１または音楽プレーヤ制御部１１３に、各種内部イベント（ＣＤＬ子機からのキー入力、携帯電話機３０への遠隔制御指示等）を通知することによって、例えば、固定電話網４０からの着呼を検知すると携帯電話機３０から受信した音声データのスピーカ１２９への出力を停止させ、着信音を出力する制御を行う。
【００３８】
子機リモコン制御部１１１は、ＣＤＬ子機２００が携帯電話機３０を遠隔操作するための操作部として動作するよう制御する。例えば、子機リモコン制御部１１１は、ＣＤＬ子機２００が携帯電話機３０のリモコンとして動作する場合、リモコン操作を補助するリモコン画面の情報を編集し、ＣＤＬ子機２００へ送信する。リモコン画面情報は、例えば、遠隔操作により携帯電話機３０に指示する処理と、当該処理を実行させるためのＣＤＬ子機２００の操作部１４４におけるキーとの対応関係に基づいて、生成される。
【００３９】
子機リモコン制御部１１１は、ＣＤＬ無線Ｉ／Ｆ部１０７を介して受信されたＣＤＬ子機２００からのキーの情報を呼制御部１１０経由で取得し、表示中のリモコン画面情報においてキーと対応づけられた携帯電話機３０のリモコン操作（例えば、再生、停止、一時停止）の情報を取得し、音楽プレーヤ制御部１１３へ該当のリモコン操作に対応する遠隔制御情報を通知する。また、子機リモコン制御部１１１は、ＣＤＬ子機２００のキー操作が、音量アップ／ダウンのキー操作であれば、音量アップ又は音量ダウンの指示を音声入出力制御部１０４へ指示する。
【００４０】
音声ストリーム処理部１１２は、携帯電話機３０から音声ストリーム通信のための接続手順制御を行い、携帯電話機３０から送出された音声ストリームデータをスピーカ１２９，１３０に出力するために、Ｂｌｕｅｔｏｏｔｈ（登録商標）制御部１２３から音声入出力制御部１０４への音声パスを形成させる。なお、Ｂｌｕｅｔｏｏｔｈ（登録商標）制御部１２３から音声入出力制御部１０４への音声パスは、Ｂｌｕｅｔｏｏｔｈ（登録商標）制御部１２３と音声入出力制御部１０４との間に音声ストリーム処理部１１２でバッファリングして形成しても良いし、音声ストリーム処理部１１２を経由せずに、Ｂｌｕｅｔｏｏｔｈ（登録商標）制御部１２３から音声入出力制御部１０４への音声バスを経由する音声パスを形成しても良い。
【００４１】
また、音声ストリームデータを無線ＬＡＮ通信Ｉ／Ｆ部１２２経由で受信する場合は、一旦、音声ストリーム処理部１１２で音声ストリームデータをバッファリングし、音声バスを経由して音声入出力制御部１０４への音声パスを形成する。
【００４２】
音声ストリーム通信のための接続手順には、Ｂｌｕｅｔｏｏｔｈ（登録商標）であれば、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）が、一般的であるが、ＲＴＳＰ（Ｒｅａｌ  Ｔｉｍｅ  Ｓｔｒｅａｍｉｎｇ  Ｐｒｏｔｏｃｏｌ）等の他の音声ストリーミング用プロトコルを採用してもよい。
【００４３】
音楽プレーヤ制御部１１３は、携帯電話機３０の状態管理し、携帯電話機３０を遠隔制御する。音楽プレーヤ制御部１１３は、例えば、携帯電話機３０を遠隔操作するための遠隔制御情報（例えば、再生、停止、一時停止）を、無線回線を介して、携帯電話機３０に送信させる。
【００４４】
遠隔制御情報は、例えば、ＣＤＬ親機１００の操作部１０５を介して操作入力された情報に応じて生成されてもよいし、ＣＤＬ子機２００の操作部１４４を介して操作入力された情報に応じて生成されてもよい。
【００４５】
なお、携帯電話機３０をＣＤＬ親機１００から遠隔制御するための通信手順には、相互の装置間で独自に制御メッセージを取り決めて行ってもよいが、Ｂｌｕｅｔｏｏｔｈ（登録商標）機器間であれば、ＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）を用いて行うことが可能である。
【００４６】
無線ＬＡＮ制御部１２１、無線ＬＡＮ通信Ｉ／Ｆ部１２２は、ＩＥＥＥ８０２．１１、即ち無線ＬＡＮの規格に従って、外部の無線ＬＡＮ機器と接続して、データ通信する。
【００４７】
Ｂｌｕｅｔｏｏｔｈ（登録商標）Ｉ／Ｆ部１２４は、アンテナを介してＢｌｕｅｔｏｏｔｈ（登録商標）規格の無線信号を送受信するＲＦ部（無線ＩＣ）で、Ｂｌｕｅｔｏｏｔｈ（登録商標）制御部１２３は、ＲＦ部への制御指示、通信リンク制御、パケット制御等のベースバンド制御である。
【００４８】
Ｂｌｕｅｔｏｏｔｈ（登録商標）Ｉ／Ｆ部１２４は、ＣＤＬ親機１００と携帯電話機３０との間の無線通信のために、Ｂｌｕｅｔｏｏｔｈ（登録商標）によって無線接続している。
【００４９】
留守番電話制御部１２５は、例えば、留守番電話メッセージを記憶し、メッセージの録音及び再生を制御する。
【００５０】
子機／携帯端末充電部１２６は、例えば、ＣＤＬ子機２００、携帯電話機３０、又はその他の携帯端末に搭載された充電池を充電する。子機／携帯端末充電部１２６は、充電対象の端末を載置するドッキング部と充電端子を設けて、充電しても良いし、ワイヤレス給電の標準規格であるＱｉ（チー）規格等に対応した充電部として、ワイヤレス給電しても良い。
【００５１】
ＵＳＢ通信Ｉ／Ｆ部１２７は、ＵＳＢ規格に対応した各種機器（例えば携帯電話機３０）をＣＤＬ親機１００に接続する通信インタフェースである。ＵＳＢ通信Ｉ／Ｆ部１２７は、例えば、ＣＤＬ子機２００又は携帯電話機３０へ給電する給電部として動作してもよい。
【００５２】
図２では、ステレオ型スピーカとして２つのスピーカ１２９，１３０が示されているが、１つのスピーカとしたモノラル型でもよい。
【００５３】
次に、ＣＤＬ子機２００の構成例について説明する。
【００５４】
図３はＣＤＬ子機２００の構成例を示すブロック図である。
【００５５】
ＣＤＬ子機２００は、記憶部１４２、音声入出力制御部１４３、操作部１４４、表示部１４５、子機制御部１４７、ＣＤＬ無線Ｉ／Ｆ部１４８、ＣＤＬプロトコル制御部１４９、充電池１５０、マイクロホン（ＭＩＣ）１５１、及びスピーカ（ＳＰＫ）１５２を備える。
【００５６】
記憶部１４２は、揮発性メモリ（ＲＡＭ）と不揮発性メモリ（ＲＯＭ／ＥＰＲＯＭ等）を含んで構成される。記憶部１４２は、各種プログラム、各種情報（例えば、電話帳情報、発着信履歴情報）を記憶する。
【００５７】
音声入出力制御部１４３は、マイクロホン１５１及びスピーカ１５２が音声信号の入力又は出力するための制御を行う。スピーカ１５２に出力される音声信号には、例えば、着信音、通話音声、留守番電話メッセージ等が含まれる。
【００５８】
操作部１４４は、例えば、ユーザが操作可能な複数のボタンを含み、操作入力を受け付ける。ボタンには、例えば、発信時のダイヤル入力に必要なダイヤルキー、各種機能が割り当てられたファンクションキー、表示部１４５の表示位置に対応付けられ表示されている機能を起動するためのソフトキー、上下左右の各方向を選択する矢印キー、が含まれる。操作部１４４は、例えば、表示部１４５に重ねられたタッチパネルでもよい。
【００５９】
表示部１４５は、液晶ディスプレイとそのドライバを含んで構成され、各種情報（例えば、電話番号、通信先又は通信元の情報、操作案内情報）を表示する。また、表示部１４５は、携帯電話機３０のリモコンとして動作する場合、リモコン画面を表示する。
【００６０】
子機制御部１４７は、例えば、マイクロコンピュータを主体とするハードウェアを含んで構成され、予め組み込まれているプログラムを実行することにより、子機制御部１４７が有する各種機能を実現する。子機制御部１４７は、ＣＤＬ子機２００全体を制御する。
【００６１】
ＣＤＬ無線Ｉ／Ｆ部１４８は、ＣＤＬ親機１００との間において無線通信するための送受信回路を含む。図示しないが、ＣＤＬ無線Ｉ／Ｆ部１４８は、ＲＦ部で、アンテナを介して無線信号の送受信を行う。
【００６２】
ＣＤＬプロトコル制御部１４９は、ＣＤＬ親機１００との間でデータを送受信するプロトコルスタック部で、ＣＤＬ親機１００との間の制御プロトコル（例えば、ＤＥＣＴプロトコル方式、ＰＨＳプロトコル方式、ＷＤＣＴ方式等）に従ったプロトコル制御を行う。
【００６３】
充電池１５０は、ＣＤＬ子機２００の各部に電源電力を供給する。例えば、ＣＤＬ子機２００がＣＤＬ親機１００の子機／携帯端末充電部１２６に載置されることにより、充電池１５０が充電される。
【００６４】
次に携帯電話機３０の構成例について説明する。図４は本発明の電話装置と連携する携帯電話機の一例を示す機能ブロック図である。
【００６５】
携帯電話機３０は、携帯電話網５０との通信を行なう為の３Ｇ無線Ｉ／Ｆ部３０１、３Ｇプロトコル制御部３０２を備える。また携帯電話機３０は、本来は主にワーヤレスヘッドセットへ再生音声を出力する目的で設けられた音声信号出力インタフェースであるＢｌｕｅｔｏｏｔｈ（登録商標）制御部３０９およびＢｌｕｅｔｏｏｔｈ（登録商標）通信Ｉ／Ｆ部３１０を備えている。
【００６６】
また携帯電話機３０は、無線によりローカルネットワークを介して通信する為の無線ＬＡＮ制御部３０７、無線ＬＡＮ通信Ｉ／Ｆ部３０８を備える。また携帯電話機３０は、表示／操作部３０３、記憶部３０４、音声入出力制御部３０５を備える。また携帯電話機３０は、ＵＳＢ（Ｕｎｉｖｅｒｓａｌ  Ｓｅｒｉａｌ  Ｂｕｓ）通信Ｉ／Ｆ部３１１、マイクロホン（ＭＩＣ）３１２、スピーカ（ＳＰＫ）３１３を備える。
【００６７】
また携帯電話機３０は制御部３０６を備える。制御部３０６は、呼制御部３１４を含む。
【００６８】
３Ｇ無線Ｉ／Ｆ部３０１および３Ｇプロトコル制御部３０２は、携帯電話網５０との通信を行い、例えば携帯電話網５０からの着呼を検出し、または発呼時には携帯電話網５０の通信回線を捕捉接続する。
【００６９】
記憶部３０４は、揮発性メモリ（ＲＡＭ）と不揮発性メモリ（ＲＯＭ／ＥＰＲＯＭ等）を含んで構成される。記憶部３０４は、各種プログラム、及び電話に関する各種情報（例えば携帯電話網５０との認証を行う為の認証情報や各種パラメータ、電話帳情報、発着信履歴情報など）を記憶する。また記憶部３０４は、各種アプリケーションの為のプログラムデータ、およびテキストデータ、音声データ、画像データ等を記憶する。
【００７０】
音声入出力制御部３０５は、制御部３０６において動作するソフトウェアに従って動作し、音声を再生する。音声入出力制御部３０５は、制御部３０６からの指示により音声バスからのデジタル信号化された音声データを取得し、アナログ変換し、スピーカ３１３へ出力する。また音声入出力制御部３０５は、音量出力制御や音質制御を行う。また音声入出力制御部３０５は制御部３０６からの指示により、マイクロホン３１２から受信したアナログ音声をデジタル音声化して音声バスへの送信制御を行う。
【００７１】
また音声入出力制御部３０５は直接携帯電話機３０にて再生した音楽等を聴く場合にも動作する。スピーカ３１３に出力される音声信号には、通話音声以外に、例えば、音楽再生機能により再生される音声データがある。
【００７２】
表示／操作部３０３は、液晶ディスプレイと、その液晶ディスプレイの表面に配置されたタッチパネル、およびそれらを駆動する為のドライバを含んで構成され、ユーザの各種操作を受け付けるためのユーザインタフェース（ＵＩ）として機能する。表示／操作部３０３は、例えば電話の受発信の為の番号キーやアイコン、電話帳等を表示し、また通信先又は通信元の情報、操作案内情報を表示する。また各種アプリを起動する為のアイコン、それぞれのアプリの中での操作の為のアイコンおよび操作メニューの表示を行う。そして液晶ディスプレイの表示に合わせてタッチパネル上には各種ソフトキーが割り当てられ、携帯電話機３０のあらゆる操作が表示／操作部３０３によって行われる。
【００７３】
例えば音楽再生機能を起動した場合には、表示／操作部３０３に曲名や各種操作の為のアイコンおよびソフトキーを表示する。そして操作為のキー、例えば、再生キー／停止キー／一時停止キー等の各種機能のキー、スピーカからの音量を調整する音量調整キーなどが表示され、表示／操作部３０３はそれらの操作情報を取得し、制御部３０６に通知する。
【００７４】
制御部３０６は、例えば、マイクロコンピュータを主体とするハードウェアを含んで構成され、予め組み込まれたプログラムを実行することにより、制御部３０６が有する各種機能を実現する。制御部３０６は、携帯電話機３０全体を制御する。
【００７５】
呼制御部３１４は、表示／操作部３０３、３Ｇプロトコル制御部３０２、無線ＬＡＮ制御部３０７、Ｂｌｕｅｔｏｏｔｈ（登録商標）制御部３０９から通知されたイベント又は各種メッセージを処理し、携帯電話機３０に発生した呼の状態管理、及び呼接続を行う。また呼制御部３１４は、携帯電話網５０からの携帯着信を検知すると、着信音を出力するための制御を行う。
【００７６】
音声ストリーム通信のための接続手順には、Ｂｌｕｅｔｏｏｔｈ（登録商標）であれば、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）が、一般的であるが、ＲＴＳＰ（Ｒｅａｌ  Ｔｉｍｅ  Ｓｔｒｅａｍｉｎｇ  Ｐｒｏｔｏｃｏｌ）等の他の音声ストリーミング用プロトコルを採用してもよい。
【００７７】
なお、携帯電話機３０がＣＤＬ装置１から遠隔制御を受けるための通信手順は、相互の装置間で独自に制御メッセージを取り決めて行ってもよいが、Ｂｌｕｅｔｏｏｔｈ（登録商標）機器間のＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）を用いて行うことが可能である。
【００７８】
無線ＬＡＮ制御部３０７、無線ＬＡＮ通信Ｉ／Ｆ部３０８は、ＩＥＥＥ８０２．１１、即ち無線ＬＡＮの規格に従って、外部の無線ＬＡＮ機器と接続して、データ通信する。
【００７９】
Ｂｌｕｅｔｏｏｔｈ（登録商標）Ｉ／Ｆ部３１０は、アンテナを介してＢｌｕｅｔｏｏｔｈ（登録商標）規格の無線信号を送受信するＲＦ部で、Ｂｌｕｅｔｏｏｔｈ（登録商標）制御部３０９は、ＲＦ部への制御指示、通信リンク制御、パケット制御等のベースバンド制御である。Ｂｌｕｅｔｏｏｔｈ（登録商標）Ｉ／Ｆ部３１０は、携帯電話機３０とＣＤＬ親機１００との間の無線通信のために、近距離無線通信機能であるＢｌｕｅｔｏｏｔｈ（登録商標）によって無線接続している。
【００８０】
ＵＳＢ通信Ｉ／Ｆ部３１１は、ＵＳＢ規格に対応した各種機器（例えばパソコン等）に接続する通信インタフェースである。ＵＳＢ通信Ｉ／Ｆ部３１１は、例えば例えばパソコン等から２次電池（図示せず）を充電する給電部として動作してもよい。
【００８１】
上記の構成部を含む携帯電話機３０は、音楽プレーヤ機能を有するスマートホンの形態であっても良い。また携帯電話機３０により再生される音声データは、携帯電話機３０の記憶部３０４に記憶されてもよいし、無線通信機能を用いて、例えば外部サーバから取得してもよい。また外部の記憶装置（例えば、メモリカード、ＵＳＢメモリ等）から取得してもよい。
【００８２】
記憶部３０４は所定のフォーマットで楽曲情報、音楽ファイルを蓄積する機能を有し、例えばダウンロードサイトから３Ｇ無線Ｉ／Ｆ部３０１または無線ＬＡＮ通信Ｉ／Ｆ部３０８を介して転送される楽曲情報、音楽ファイル等を所定のフォーマットへデコードされた後、記憶部３０４はこれらファイルを蓄積する。
【００８３】
Ｂｌｕｅｔｏｏｔｈ（登録商標）通信Ｉ／Ｆ部３１０の通信機能により、携帯電話機３０からＣＤＬ親機１００へ携帯電話機３０の状態を示すステータスや音楽データが送られ、音楽データはＣＤＬ親機１００またはＣＤＬ子機２００にて復号され、スピーカにて再生される。またＣＤＬ子機２００からは、操作部１４４で入力したコマンド、あるいはマイク１５１から入力した音声データがＤＥＣＴによる信号によってＣＤＬ親機１００へ送られ、Ｂｌｕｅｔｏｏｔｈ（登録商標）通信によって携帯電話機３０へ送信され、Ｂｌｕｅｔｏｏｔｈ（登録商標）通信Ｉ／Ｆ部３１０にて受信される。
【００８４】
携帯電話機３０のステータス情報、例えばシステム制御可能の可否、音楽再生中または停止中、選曲中等の情報は、所定の形式と所定のタイミングでＢｌｕｅｔｏｏｔｈ（登録商標）通信Ｉ／Ｆ部３１０を介してＣＤＬ親機１００へ送られ、またＣＤＬ親機１００からはＤＥＣＴによる制御信号によってＣＤＬ子機２００へ伝送される。
【００８５】
携帯電話機３０からの音楽の再生信号はＡＤＰＣＭ形式で、Ｂｌｕｅｔｏｏｔｈ（登録商標）信号によってＣＤＬ親機１００へ送られる。携帯電話機３０は記憶部３０４から読み出した音楽データについてアナログ化の前段階と成る処理（例えばＭＰ３→ＰＣＭ→ＡＤＰＣＭ）等を行ない、ＣＤＬ親機１００へ転送する。
【００８６】
ＣＤＬ親機１００のＢｌｕｅｔｏｏｔｈ（登録商標）制御部１２３は、携帯電話機３０から送られるＡＤＰＣＭ形式で圧縮された再生信号を音声入出力制御部１０４へ渡し、音声入出力制御部１０４でアナログ変換処理を行い、２つのスピーカ１２９，１３０から放音されるので、ＣＤＬ親機１００を介して音楽の再生音を聴くことができる。
【００８７】
また携帯電話機３０は、Ｂｌｕｅｔｏｏｔｈ（登録商標）通信Ｉ／Ｆ部３１０を介してステータス情報をＣＤＬ親機１００へ送信し、またその情報は必要によって、ＤＥＣＴ通信によってＣＤＬ子機２００へ送信される。
【００８８】
また携帯電話機３０からＣＤＬ親機１００（またはＣＤＬ子機２００）に対して、Ｂｌｕｅｔｏｏｔｈ（登録商標）通信によって（またはその先のＣＤＬ子機２００に対してはＤＥＣＴ通信によって）着信を伝達するための信号や情報、再生可能な楽曲情報、音声通話時の音声データ等が伝送される。
【００８９】
再生楽曲情の切替や再生ＯＮ／ＯＦＦ、あるいは着信のための応答の操作は、ＣＤＬ子機２００の操作部１４４の操作で行う事が可能である。また操作入力のアンサーバックあるいは状態表示もＣＤＬ子機２００の表示部１４５に表示し、ユーザはＣＤＬ子機２００の表示部１４５を見て確認することができる。
【００９０】
次に音声通話について説明する。
【００９１】
ＣＤＬ親機１００（またはＣＤＬ子機２００）は、スピーカおよびマイクにより通話を行うことができる。有線電話網を介する通話だけで無く、ＣＤＬ親機１００と携帯電話機３０は近距離無線通信の為のＢｌｕｅｔｏｏｔｈ（登録商標）通信機能によって接続されているので、ＣＤＬ親機１００（またはＣＤＬ子機２００）は携帯電話網５０を介する通話も可能である。また、通話の開始／終了はＣＤＬ親機１００（またはＣＤＬ子機２００）の操作部を操作することにより可能である。
【００９２】
またＣＤＬ子機２００を使って通話する場合、ＣＤＬ子機２００のＤＥＣＴ通信機能を介して入力する音声情報は、ＣＤＬ無線Ｉ／Ｆ部１４８で受信され、ＣＤＬプロトコル制御部１４９にてデコードされることにより音声データが取得される。そして音声入出力制御部１４３にてアナログ信号に変換されてスピーカ１５２から音声として聞くことができる。
【００９３】
一方、ユーザの声はマイクロホン１５１を介して、前記と逆のプロセスでＣＤＬ無線Ｉ／Ｆ部１４８によってＣＤＬ親機１００へ発信される。即ち音声入出力制御部１４３によってマイクロホン１５１から入力するアナログ音声信号をデジタルデータに変換し、さらにコード化した後、ＣＤＬ無線Ｉ／Ｆ部１４８で送信のための処理が行われ、アンテナより発信を行う。
【００９４】
このようにＣＤＬ子機２００は音声通話の為にマイク１５１とスピーカ１５２を使うことができ、さらにＣＤＬ子機２００のスピーカ１５２は、音声通話行う他に、携帯電話機３０の再生音楽を聞く事もできる。さらにＣＤＬ子機２００に振動発生部を設けた場合には、例えば音楽再生を着信により妨害されたくない場合に振動発生で着信を伝達するよう設定しても良い。
【００９５】
次に、ＣＤＬ装置１の動作例について説明する。ＣＤＬ装置１では、ＣＤＬ装置１０と携帯電話機３０とが動作連携する。図５は、ＣＤＬ親機１００、ＣＤＬ子機２００Ａ，２００Ｂ、及び携帯電話機３０が連携する場合の動作例を示すシーケンス図である。図５では、ＣＤＬ子機２００Ａを主にリモコンとして操作することを想定する。
【００９６】
まず、ＣＤＬ親機１００とＣＤＬ子機２００Ａ，２００Ｂとの間において、ＣＤＬ親機１００のＣＤＬプロトコル制御部１０８及びＣＤＬ子機２００のＣＤＬプロトコル制御部１４９は、無線通信（例えばＤＥＣＴ）のリンクを形成し、コードレス電話親機と子機間の通信リンクを確立しスタンバイ状態である（Ｓ１０１）。
【００９７】
ＣＤＬ親機１００と携帯電話機３０との間において、ＣＤＬ親機１００のＢｌｕｅｔｏｏｔｈ（登録商標）制御部１２３と携帯電話機３０は、Ｂｌｕｅｔｏｏｔｈ（登録商標）のリンクを形成する（Ｓ１０２）。これにより、両者をペアリングする。携帯電話機３０及びＣＤＬ親機１００間では、例えば、携帯電話機３０からＣＤＬ親機１００に音声データをストリーミング配信するためにＡ２ＤＰを用い、ＣＤＬ親機１００から携帯電話機３０を遠隔制御するためにＡＶＲＣＰを用いる。
【００９８】
Ａ２ＤＰは、Ｂｌｕｅｔｏｏｔｈ（登録商標）機器の種類ごとに定義された通信規約であるＢｌｕｅｔｏｏｔｈ（登録商標）プロファイルの１つであり、音声データをストリーミング配信（受信しながら再生）するための手順を定義する。本実施例では、携帯電話機３０がストリーミング配信側（ＳＲＣ）、ＣＤＬ親機１００がストリーミング受信側（ＳＮＫ）となる。
【００９９】
また、ＡＶＲＣＰは、Ｂｌｕｅｔｏｏｔｈ（登録商標）対応のワイヤレスイヤホンなどのリモコン制御に採用され、リモコンから本体（音楽プレーヤ等）を遠隔制御するときに使用するＢｌｕｅｔｏｏｔｈ（登録商標）のプロファイルである。
【０１００】
Ａ２ＤＰの手順に従って携帯電話機３０及びＣＤＬ親機１００が動作することにより、携帯電話機３０からＣＤＬ親機１００へ音声データを伝送できる。ＣＤＬ親機１００では、音声データを受信しながら再生できる。
【０１０１】
ストリーミング配信される音声データの形式は、例えば、ＳＢＣ（ＳｕｂＢａｎｄ  Ｃｏｄｅｃ）、ＭＰ３（ＭＰＥＧ（Ｍｏｖｉｎｇ  Ｐｉｃｔｕｒｅ  Ｅｘｐｅｒｔｓ  Ｇｒｏｕｐ）Ａｕｄｉｏ  Ｌａｙｅｒ−３）、ＡＡＣ（Ａｄｖａｎｃｅｄ  Ａｕｄｉｏ  Ｃｏｄｉｎｇ）、ＡＴＲＡＣ（Ａｄａｐｔｉｖｅ  Ｔｒａｎｓｆｏｒｍ  Ａｃｏｕｓｔｉｃ  Ｃｏｄｉｎｇ）、の形式を含む。
【０１０２】
続いて、例えばユーザが携帯電話機３０を操作し、携帯電話機３０が音楽再生用のアプリケーションを起動する（Ｓ１０３）。携帯電話機３０が音楽再生用のアプリケーションが起動すると、携帯電話機３０は、ＣＤＬ親機１００との間でＡ２ＤＰとＡＶＲＣＰを用いて、音声ストリーム配信と遠隔制御のための無線接続を行う（Ｓ１０４）。
【０１０３】
そして、上記ＡＶＲＣＰの接続手順が完了すると携帯電話機３０は、例えば、携帯電話機３０の状態を示す状態情報と、携帯電話機３０が有する又は参照可能な音声データの楽曲情報を、ＣＤＬ親機１００に送信する（Ｓ１０５）。楽曲情報は、音声データに関する情報であり、例えば、アルバム名、アーティスト名、タイトル名、トラック番号を含む。この楽曲情報は、携帯電話機３０からＣＤＬ親機１００へ適時送信される。
【０１０４】
また、携帯電話機３０は、携帯電話機３０のユーザ操作またはＣＤＬ親機１００からの遠隔操作により携帯電話機３０の状態（例えば、再生中、停止中、一時停止中）が変化すると状態変化を示す状態情報を、ＣＤＬ親機１００に送信する。
【０１０５】
ＣＤＬ親機１００では、Ｂｌｕｅｔｏｏｔｈ（登録商標）通信Ｉ／Ｆ部１２４を介して、音楽プレーヤ制御部１１３が、携帯電話機３０から、楽曲情報又は状態情報を受信し、記憶部１０３に、この情報を保持する。楽曲情報及び状態情報は、必要に応じて使用され、例えば所定のタイミングにおいて表示部１０６又はＣＤＬ子機２００の表示部１４５に表示される。
【０１０６】
携帯電話機３０における音声データの再生開始は、例えば、ユーザが携帯電話機３０を直接操作することで指示されてもよいし、携帯電話機３０のリモコンとして機能するＣＤＬ子機２００を操作することで指示されてもよい。図５では、音楽再生用のアプリケーションの起動後に、ユーザは、携帯電話機３０の操作部を操作して、選択中の楽曲の再生操作を行う（Ｓ１０６）。
【０１０７】
これによって、携帯電話機３０の状態が、停止状態から再生中状態に変化したため、携帯電話機３０からＣＤＬ親機１００の音楽プレーヤ制御部１１３に再生中を示す状態情報（再生）が送信され、音楽プレーヤ制御部１１３は、携帯型音楽プレーヤの状態を再生中状態に更新する（Ｓ１０６ａ）。
【０１０８】
続いて、携帯電話機３０は、携帯電話機３０が有する又は参照可能な音声データを、例えば音声ストリームデータとして、順次、ＣＤＬ親機１００へ送信する（Ｓ１０７）。
【０１０９】
ＣＤＬ親機１００では、Ｂｌｕｅｔｏｏｔｈ（登録商標）通信Ｉ／Ｆ部１２４を経由してＢｌｕｅｔｏｏｔｈ（登録商標）制御部１２３が、携帯電話機３０からの音声ストリームデータを受信する。音声ストリームデータは、音声バスを経由して音声入出力制御部１０４に入力され、アナログ信号に変換され、スピーカ１２９，１３０から音声出力される。
【０１１０】
従って、携帯電話機３０が音声データを再生する場合に、ＣＤＬ親機１００のスピーカ１２９及び１３０を、携帯電話機３０の外部スピーカとして利用できる。
【０１１１】
ＣＤＬ子機２００Ａでは、表示部１４５が所定の機能メニュー画面を表示中に、携帯電話機３０と連携するためのファンクションキー（例えば連携キー）をユーザが押下し、操作部１４４が連携キーの押下を検出する（Ｓ１０９）。連携キーが押下されると、ＣＤＬ子機２００Ａから、携帯電話機３０との連携開始要求を示すキー情報メッセージ（連携キー）をＣＤＬ親機１００に通知する（Ｓ１１０）。
【０１１２】
なお、上記説明では、携帯電話機３０と連携するための専用のファンクションキー押下操作によって、携帯電話機３０のリモコンとして動作開始させたが、ＣＤＬ子機２００Ａの機能メニュー画面に表示されている機能から音楽プレーヤ連携機能を選択し、リモコン動作を起動する一連のキー操作によって、リモコンとして動作開始させても良い。
【０１１３】
ＣＤＬ親機１００では、ＣＤＬ無線Ｉ／Ｆ部１０７が、キー情報メッセージ（連携キー）をＣＤＬ子機２００Ａから受信すると、呼制御部１１０にキー情報メッセージ（連携キー）を送信し、呼制御部１１０が、受信したキー情報が連携キーであることを検知する。
【０１１４】
呼制御部１１０は、キー情報が連携キーであることを検知すると、ＣＤＬ子機２００Ａの状態を子機リモコン操作中状態に更新し、子機リモコン制御部１１１に子機リモコン起動を通知する。
【０１１５】
子機リモコン制御部１１１は、子機リモコン起動が通知されると、リモコン画面情報を生成し、ＣＤＬ子機２００Ａにリモコン画面情報を送信する（Ｓ１１１）。リモコン画面情報は、例えば、携帯電話機３０から受信した楽曲情報又は状態情報を含む。リモコン画面情報は、例えば、ＣＤＬ子機２００Ａが携帯電話機３０のリモコンとして動作する場合に、ＣＤＬ子機２００Ａの各キーに割り当てる機能を表す情報、ＣＤＬ子機２００Ａがリモコンとして動作するための様々なパラメータ又は制御条件を表す情報、を含んでもよい。
【０１１６】
ＣＤＬ子機２００Ａでは、ＣＤＬ無線Ｉ／Ｆ部１４８がＣＤＬ親機１００からの音楽プレーヤ再生中状態のリモコン画面情報を受信し、表示部１４５が、リモコン画面を表示する（Ｓ１１２）。リモコン画面の表示により、ＣＤＬ子機２００Ａのユーザは、ＣＤＬ子機２００Ａのリモコン画面に表示される内容を確認して、携帯電話機３０を遠隔操作するための操作入力を行うことができる。従って、携帯電話機３０とＣＤＬ親機１００との連携時には、ＣＤＬ子機２００Ａの操作により、携帯電話機３０を遠隔操作できる。
【０１１７】
遠隔操作の対象となる処理は、例えば、再生（ＰＬＡＹ）、再生一時停止（ＰＡＵＳＥ）、再生停止（ＳＴＯＰ）、早送り／次曲再生、巻き戻し／前曲再生、音量アップ、音量ダウンの処理を含む。
【０１１８】
ＣＤＬ子機２００Ａでは、操作部１４４が音量アップのキー入力操作を検出した場合（Ｓ１１３）、ＣＤＬ無線Ｉ／Ｆ部１４８が、キー情報（音量アップ）メッセージをＣＤＬ親機１００に送信する（Ｓ１１４）。
【０１１９】
この場合、ＣＤＬ親機１００では、ＣＤＬ無線Ｉ／Ｆ部１０７が、キー情報（音量アップ）メッセージを受信し、呼制御部１１０に送信する。
【０１２０】
呼制御部１１０は、ＣＤＬ子機２００Ａの状態が子機リモコン操作中状態であることを確認すると、キー情報（音量アップ）を子機リモコン制御部１１１に通知する。
【０１２１】
子機リモコン制御部１１１は、音声入出力制御部１０４に、スピーカ１２９，１３０による出力音量を増加させる指示を行う（Ｓ１１５）。
【０１２２】
また、このとき、子機リモコン制御部１１１は、音量調整用のリモコン画面情報を生成し、ＣＤＬ子機２００Ａに送信しても良い（Ｓ１１５ａ）。
【０１２３】
ＣＤＬ子機２００Ａでは、ＣＤＬ無線Ｉ／Ｆ部１４８が、ＣＤＬ親機１００からの音量調整用のリモコン画面情報を受信し、表示部１４５がリモコン画面を表示する（Ｓ１１５ｂ）。
【０１２４】
ＣＤＬ子機２００Ａでは、操作部１４４が再生一時停止の操作入力を検出した場合（Ｓ１１６）、ＣＤＬ無線Ｉ／Ｆ部１４８が、キー情報（再生一時停止）メッセージをＣＤＬ親機１００に送信する（Ｓ１１７）。
【０１２５】
この場合、ＣＤＬ親機１００では、ＣＤＬ無線Ｉ／Ｆ部１０７が、キー情報（再生一時停止）メッセージを受信し、呼制御部１１０に送信する。
【０１２６】
呼制御部１１０は、ＣＤＬ子機２００Ａの状態が子機リモコン操作中状態であることを確認すると、キー情報（再生一時停止）を子機リモコン制御部１１１に通知する。
【０１２７】
子機リモコン制御部１１１は、キー情報（再生一時停止）メッセージを受信すると、音楽プレーヤ制御部１１３に再生一時停止のリモコン動作を指示するために、音楽プレーヤ制御部１１３に再生一時停止を指示する。
【０１２８】
音楽プレーヤ制御部１１３は、子機リモコン制御部１１１からの再生一時停止の指示を受信すると、Ｂｌｕｅｔｏｏｔｈ（登録商標）制御部１２３を介して、遠隔制御情報を携帯電話機３０へ無線送信させる（Ｓ１１８）。この遠隔制御情報は、携帯電話機３０による再生の一時停止を指示する情報を含む。
【０１２９】
携帯電話機３０は、ＣＤＬ親機１００から再生一時停止情報を含む遠隔制御情報を受信すると、再生対象の音声データの再生を一時停止し、ＣＤＬ親機１００への音声ストリームデータの送信を停止し（Ｓ１１９）、再生一時停止状態を示す状態情報（再生一時停止）を、ＣＤＬ親機１００に通知する（Ｓ１２０）。
【０１３０】
ＣＤＬ親機１００では、音楽プレーヤ制御部１１３が再生一時停止を示す状態情報を受信し、携帯電話機３０の状態を再生一時停止中状態に更新し、子機リモコン制御部１１１に状態変化を通知する。子機リモコン制御部１１１は、再生一時停止用のリモコン画面を生成し、リモコン操作中のＣＤＬ子機Ａに、再生一時停止用のリモコン画面を送信させる。
【０１３１】
ＣＤＬ子機２００Ａでは、ＣＤＬ無線Ｉ／Ｆ部１４８がＣＤＬ親機１００からの再生一時停止用のリモコン画面情報を受信し、表示部１４５がリモコン画面を表示する（Ｓ１２０ｂ）。
【０１３２】
このようにＣＤＬ子機２００を携帯電話機３０からＣＤＬ親機１００を介して送られる音楽を再生する為の外部スピーカとして動作させる場合、ＣＤＬ子機２００とＣＤＬ親機１００はＣＤＬ無線Ｉ／Ｆ部１４８を使って接続され、ＣＤＬ親機１００と携帯電話機３０はＢｌｕｅｔｏｏｔｈ（登録商標）通信機能を使って接続される。これら通信機能を使って、ＣＤＬ子機２００からは携帯電話機３０を操作するための遠隔制御情報が送られ、携帯電話機３０からＣＤＬ子機２００へ再生した音楽データが送られる。携帯電話機３０の状態を示すステータスや音楽データ、または再生中の楽曲に関する諸情報等がＣＤＬ無線Ｉ／Ｆ部１４８を使ってＣＤＬ子機２００へ送られる。
【０１３３】
例えば携帯電話機３０がカバン等の中にあり、ＣＤＬ子機２００はユーザの手元にあって、音楽の再生はユーザがＣＤＬ子機２００を操作して再生指示操作を行うことによって、携帯電話機３０に対して遠隔操作の為の信号を送信する。その信号を受信し、再生指示を受けた携帯電話機３０は自身の再生機能により音楽の再生を開始し、再生された当該音楽の再生信号は携帯電話機３０からＣＤＬ子機２００に対してＢｌｕｅｔｏｏｔｈ（登録商標）を使って送信される。ＣＤＬ子機２００へ送られた音楽の再生信号は、ＣＤＬ子機２００にてアナログに変換され、ＣＤＬ子機２００のスピーカから放音される。
【０１３４】
再生する楽曲の選曲は、ユーザがＣＤＬ子機２００の表示部に曲名リストを表示させ、操作手段を操作して曲名を選択し、携帯電話機３０へ再生指示を行う事ができる。再生する楽曲の選曲あるいは再生停止についても、ユーザによるＣＤＬ子機２００の操作により指示され、携帯電話機３０に伝達され、携帯電話機３０にて指示が実行される。
【０１３５】
図６は、携帯電話網５０から携帯電話機３０に着信が有った場合の連携動作を示すシーケンス図である。
【０１３６】
図６において、ＣＤＬ親機１００とＣＤＬ子機２００（２００Ａ、２００Ｂ）との間の通信リンクを確立し、また、ＣＤＬ親機１００と携帯電話機３０との間においてリンクを形成し、携帯電話機３０からの音声ストリームデータをＣＤＬ親機１００やＣＤＬ子機２００（２００Ａ、２００Ｂ）において再生するステップ（Ｓ２０１）については既に説明した図５と同様であるので詳細を省略する。なお、図５においては、ＣＤＬ子機２００Ｂは音声ストリームデータの再生をしない設定で説明したが、ステップＳ２０１では、ＣＤＬ子機２００ＢにおいてもＣＤＬ子機２００Ａと同様に再生をしている状態を表す。
【０１３７】
携帯電話網５０から携帯電話機３０に対して携帯着信があると（Ｓ２０２）、携帯電話機３０はＢｌｕｅｔｏｏｔｈ（登録商標）通信によって着信があった旨を親機制御部１０９に通知する（Ｓ２０３）。
【０１３８】
着信があった旨の通知を受けた親機制御部１０９は、ユーザが着信に応答して通話するための処理、すなわち無線リソースの切替（Ｓ２０４）、音楽再生の停止（Ｓ２０５）を実行する。これらは後段にて詳細に説明する。また親機制御部１０９の制御により着信鳴動音が音声入出力制御部１０４に入力され、スピーカ１２９，１３０から着信鳴動音が出力される（Ｓ２０６）。
【０１３９】
他方、親機制御部の着信処理により、着信の通知がＤＥＣＴの通信によってＣＤＬ子機２００（２００Ａ、２００Ｂ）にも通知される（Ｓ２０７）。着信の通知を受けたＣＤＬ子機２００（２００Ａ、２００Ｂ）の子機制御部１４７は着信鳴動音を音声入出力制御部１０４に入力する。結果、ＣＤＬ子機２００（２００Ａ、２００Ｂ）のスピーカ１５２から着信鳴動音が再生される（Ｓ５０７）。
【０１４０】
なおＣＤＬ子機２００での着信の表示は、着信鳴動音だけでなく、例えばＣＤＬ子機２００の表示部における着信メッセージの表示や、単なる同表示部の点滅等の光による表示でも良い。また子機制御部１４７は振動発生部（図示せず）を制御し、音楽の再生中に着信があると子機制御部１４７は振動発生部を動作させて振動を発生させても良い。また振動発生部の使用可否はユーザの設定により動作可／不可を設定しても良い。
【０１４１】
着信鳴動音を聞いたユーザがＣＤＬ親機１００において応答操作を行うと（Ｓ２０８）、ＣＤＬ親機１００はＢｌｕｅｔｏｏｔｈ（登録商標）の通信によって携帯電話機３０に対し、着信応答を意味する信号を送信する（Ｓ２０９）。そして携帯電話機３０は携帯電話網５０に対して着信応答を通知する（Ｓ２１０）。またＣＤＬ親機１００において応答操作を行うと、ＣＤＬ親機１００はＢｌｕｅｔｏｏｔｈ（登録商標）の通信によって携帯電話機３０との間に音声通話路を形成する（Ｓ２１１）。
【０１４２】
またＣＤＬ子機２００において着信鳴動音を聞いたユーザが応答する場合は、ＣＤＬ子機２００におい応答操作を行うと（Ｓ２１２）、ＤＬ子機２００はＤＥＣＴの通信によってＤＬ親機１００に対して応答通知を行なう（Ｓ２１３）。それに従ってＣＤＬ親機１００はＢｌｕｅｔｏｏｔｈ（登録商標）の通信によって携帯電話機３０に対し、着信応答を意味する信号を送信する（Ｓ１４）。そして携帯電話機３０は携帯電話網５０に対して着信応答を通知する（Ｓ２１５）。またＣＤＬ親機１００は、前述と同様にＢｌｕｅｔｏｏｔｈ（登録商標）の通信によって携帯電話機３０との間に音声通話路を形成する（Ｓ２１６）。
【０１４３】
このように音楽再生中における携帯電話機への着信は、音楽再生系とは異なる独立した経路にて着信通知が伝達されることから、音楽再生中の着信であっても直ぐに携帯電話機３０からＣＤＬ親機１００伝えられ、鳴動音を鳴らせる事ができる。そして着信通知によって音楽再生は自動的に停止され、着信応答の準備が為される。
【０１４４】
次に図７に沿って、Ｂｌｕｅｔｏｏｔｈ（登録商標）制御部１２３について詳細に説明する。ＣＤＬ親機１００のＢｌｕｅｔｏｏｔｈ（登録商標）制御部１２３は、ＡＰＰ層とＭｉｄｄｌｅ層から成り、Ｂｌｕｅｔｏｏｔｈ（登録商標）で規定されている各種機能（Ｐｒｏｆｉｌｅ）の制御機能を有し、外部のＢｌｕｅｔｏｏｔｈ（登録商標）通信機能を持つ端末（ＢＴ端末）との連携を可能としている。Ｂｌｕｅｔｏｏｔｈ（登録商標）で規定されている各種機能としては、例えば、通話連携制御用としてはＨＦＰ（Ｈａｎｄｓ  Ｆｒｅｅ  Ｐｒｏｆｉｌｅの略）、ＡＶ系のストリーミング用としてはＡ２ＤＰ（Ａｄｖａｎｃｅｄ  Ａｕｄｉｏ  Ｄｉｓｔｒｉｂｕｔｉｏｎ  Ｐｒｏｆｉｌｅの略）、ＡＶ系制御用としてはＡＶＲＣＰ（Ａｕｄｉｏ  Ｖｉｄｅｏ  Ｒｅｍｏｔｅ  Ｃｏｎｔｒｏｌ  Ｐｒｏｆｉｌｅの略）がある。
【０１４５】
Ｂｌｕｅｔｏｏｔｈ（登録商標）制御部１２３のＡＰＰ層は、機器本体側（ここでは親機１００）の制御部との通信を制御する親機通信部と、外部のＢＴ端末との間の接続起動に関する制御を行うＨＦＰ制御部と、広帯域の音声ストリーミング経路の接続（ｃｏｎｎｅｃｔｅｄ）／非接続（ｄｉｓｃ）を制御するＡ２ＤＰ制御部と、ＡＶの無線接続の起動や外部ＢＴ端末の各動作を遠隔制御するための各種制御信号（画質，再生開始／停止，音質，音量等）を生成するＡＶＲＣＰ制御部から成る。
【０１４６】
またＢｌｕｅｔｏｏｔｈ（登録商標）制御部１２３のＭｉｄｄｌｅ層は、Ｂｌｕｅｔｏｏｔｈ（登録商標）の無線通信モード（ＡＶモード／Ｔａｌｋモード）を切替えるＢＴ無線制御部と、Ｂｌｕｅｔｏｏｔｈ（登録商標）通信で送る音質のモード（ＡＶモード／Ｔａｌｋモード）を切替えるＢＴ音声制御部から成る。
【０１４７】
そしてＢｌｕｅｔｏｏｔｈ（登録商標）制御部１２３は、物理層であるＢｌｕｅｔｏｏｔｈ（登録商標）通信Ｉ／Ｆ部１２４（ＲＦ部）に対して信号入出力を行い、携帯電話機３０ａ，３０ｂ（例えば所謂スマートホン等）との間でＢｌｕｅｔｏｏｔｈ（登録商標）による無線通信を行う。
【０１４８】
次に、図７〜図１２のタイミングチャートを参照して携帯電話連携制御を詳細に説明する。
【０１４９】
ＣＤＬ親機１００において音楽連携操作が為されると、ＣＤＬ親機１００内の親機制御部１０９から当該親機のＢｌｕｅｔｏｏｔｈ（登録商標）制御部１２３のＡＰＰ層に対して音楽連携開始要求が送られる。音楽連携開始要求に従って、Ｂｌｕｅｔｏｏｔｈ（登録商標）制御部１２３内では親機通信部がＡＶＲＣＰ制御部へ連携開始要求を送り、それに従ってＡＶＲＣＰ制御部はＨＦＰ制御部に対して接続要求を行い、ＨＦＰ制御部はＢｌｕｅｔｏｏｔｈ（登録商標）通信Ｉ／Ｆ部１２４に対してＨＦＰ接続起動を指示する。
【０１５０】
このＨＦＰ接続起動に従ってＢｌｕｅｔｏｏｔｈ（登録商標）通信Ｉ／Ｆ部１２４（無線通信回路）は、予め指定された音楽プレーヤ機能付きの携帯電話機、例えば携帯電話機３０ａに対して接続する為の無線信号を送り、これに対して携帯電話機側から正常な応答が返されるか否かによって、当該携帯電話機との間で無線接続が可能か否かを確認する処理を行う。
【０１５１】
携帯電話機３０ａとの間で無線接続が可能である場合、Ｂｌｕｅｔｏｏｔｈ（登録商標）通信Ｉ／Ｆ部１２４は無線通信の必要最小限のチャンネルおよびスロットを確保し、Ｂｌｕｅｔｏｏｔｈ（登録商標）制御部１２３のＨＦＰ制御部へ無線接続完了を意味するＨＦＰ接続完了を通知する。この通知を受けたＨＦＰ制御部はＡＶＲＣＰ制御部へ接続完了を通知し、この通知を受けたＡＶＲＣＰ制御部はＢｌｕｅｔｏｏｔｈ（登録商標）通信Ｉ／Ｆ部１２４に対してＡＶ系の無線接続の起動を指示する。この接続起動に従ってＢｌｕｅｔｏｏｔｈ（登録商標）通信Ｉ／Ｆ部１２４は、携帯電話機３０ａとの間で広帯域の通信が可能な無線通信のチャンネルおよびスロットを確保する。
【０１５２】
携帯電話機３０ａとの間で音楽通信に必要な無線帯域を持つ無線リソースが確保されると、Ｂｌｕｅｔｏｏｔｈ（登録商標）通信Ｉ／Ｆ部１２４はＢｌｕｅｔｏｏｔｈ（登録商標）制御部１２３のＡＶＲＣＰ制御部へＡＶＣＰ接続完了を通知し、この通知を受けたＡＶＲＣＰ制御部はＡ２ＤＰ制御部に接続要求を行い、それに従ってＡ２ＤＰ制御部はＡ２ＤＰに対応する帯域の音声ストリーミング経路の接続をＢｌｕｅｔｏｏｔｈ（登録商標）通信Ｉ／Ｆ部１２４に対して指示する。Ｂｌｕｅｔｏｏｔｈ（登録商標）通信Ｉ／Ｆ部１２４からＡ２ＤＰ接続完了の通知を受けたＡ２ＤＰ制御部は、ＡＶＲＣＰ制御部へ接続完了を通知する。
【０１５３】
接続完了の通知を受けたＡＶＲＣＰ制御部は、Ｍｉｄｄｌｅ層のＢＴ無線制御部に対してリソース要求を行なう。この場合のリソース要求は、携帯電話機３０ａとの間でＡＶモードの通信リソースを要求する（ｔｙｐｅ＝携帯電話機３０ａ、ｍｏｄｅ＝ＡＶ）。
【０１５４】
また前述の携帯電話機３０ａについてのリソース要求を受けたＢＴ無線制御部は、その他のＢＴ端末を切断するようにＢｌｕｅｔｏｏｔｈ（登録商標）通信Ｉ／Ｆ部１２４に対して指示する。その指示に従ってＢｌｕｅｔｏｏｔｈ（登録商標）通信Ｉ／Ｆ部１２４は、携帯電話機３０ａ以外のＢＴ端末（例えば携帯電話機３０ｂ）との無線接続を切断する。これによって、携帯電話機３０ａから広帯域の音声ストリーミング信号を受信可能な通信容量（無線帯域・通信品質）を持つ無線リソースを確保する。
【０１５５】
Ｂｌｕｅｔｏｏｔｈ（登録商標）通信Ｉ／Ｆ部１２４から他のＢＴ端末の切断を完了した通知を受けたＢＴ無線制御部は、リソース確保の完了を意味するリソース応答をＡＶＲＣＰ制御部へ通知する。
【０１５６】
リソース応答を受けてＡＶＲＣＰ制御部はＢＴ無線制御部へ指示するとともに、親機通信部に対して連携開始応答を送る。
【０１５７】
この連携開始応答に従って親機通信部は、ＣＤＬ親機１００内の親機制御部１０９へ音楽連携開始応答を通知し、親機制御部１０９は表示部１０６に音楽連携の準備が完了したことを表示する。以上の処理によってＣＤＬ親機１００は再生操作待ちの状態に成り、表示部１０６に再生操作等の案内及び楽曲メニュー等が表示される。
【０１５８】
なお、ＣＤＬ親機１００と接続可能なある１つのＣＤＬ子機（例えばＣＤＬ子機２００Ａ）において音楽連携操作が為された場合でも、当該ＣＤＬ子機２００ＡからＤＥＣＴの信号によってＣＤＬ親機１００へ音楽連携開始要求が送られ、ＣＤＬ親機１００内では連携開始要求がＢｌｕｅｔｏｏｔｈ（登録商標）制御部１２３へ転送され、上記同様な処理によってＣＤＬ親機１００およびＣＤＬ子機２００は再生操作待ちの状態に成り、表示部に再生操作等の案内及び楽曲メニュー等が表示される。
【０１５９】
その後、ユーザは再生開始の操作を行う。図９において、ＣＤＬ親機１００の操作部１０５において再生開始操作（ＰＬＡＹ＿ＫＥＹ押下）がされると、その再生開始操作の操作情報が当該携帯電話機３０へ伝えられ、携帯電話機３０ａにて再生動作が開始される。携帯電話機３０ａから送られる再生された音楽の音声信号は、Ｂｌｕｅｔｏｏｔｈ（登録商標）制御部１２３によってすでに確保されている広帯域の無線リソースを介してＣＤＬ親機１００へ送信され、ＣＤＬ親機１００のスピーカ１２９，１３０によって再生音が鳴る。
【０１６０】
従って、携帯電話機にて再生する音声をコードレス電話親機のスピーカを利用して出力できる。また、コードレス電話子機を用いて携帯電話機の音楽再生を遠隔制御できる。また、音楽再生機能を持つ携帯電話機とコードレス電話装置との間で無線通信するので、音楽再生の操作する度にユーザが移動する必要がない。
【０１６１】
以上のように、コードレス電話装置にて音楽連携操作が為されると、まず親機の通信可能圏内に携帯電話機が居る事を確認し、その上でＢｌｕｅｔｏｏｔｈ（登録商標）制御部１２３は音楽連携に必要な無線リソースを取得する制御を開始することにより、ユーザが再生開始の操作を行う時点では無線リソースが確保され、再生開始の操作に従って直ぐに高音質の再生音を鳴らす事ができる。また親機の通信可能圏内に携帯電話機が居る事が確認出来ない場合には「連携不能」のエラー表示をする。
【０１６２】
以下、音楽再生動作中に携帯電話機にて携帯着信が発生した場合について説明する。図９において、音楽再生動作中の携帯電話機にて携帯着信が発生すると、発生した携帯電話機から着信情報がＢｌｕｅｔｏｏｔｈ（登録商標）通信によって送信され、ＣＤＬ親機１００のＢｌｕｅｔｏｏｔｈ（登録商標）通信Ｉ／Ｆ部１２４はＢｌｕｅｔｏｏｔｈ（登録商標）制御部１２３のＨＦＰ制御部に対してベル着信を通知する。例えば音楽再生を行っている携帯電話機３０ａに携帯着信が発生した場合、Ｂｌｕｅｔｏｏｔｈ（登録商標）制御部１２３は、その着信情報に従って、無線リソースを通話（優先度が高い）の為に明け渡す処理を開始する。
【０１６３】
図９において、処理Ａは無線リソースを通話の為に明け渡す処理を示す。処理Ａにおいて、先ず、Ｂｌｕｅｔｏｏｔｈ（登録商標）通信Ｉ／Ｆ部１２４から送られてベル着信通知に従って、ＨＦＰ制御部は直ぐにＭｉｄｄｌｅ層のＢＴ無線制御部に対して音声通話の為のリソース要求を行なう。この場合のリソース要求は、携帯電話機３０ａとの間でＴａｌｋモードの通信リソースを要求する（ｔｙｐｅ＝携帯電話機３０ａ、ｍｏｄｅ＝Ｔａｌｋ）。このリソース要求を受けたＢＴ無線制御部は、Ｂｌｕｅｔｏｏｔｈ（登録商標）の無線通信モードをＡＶモードからＴａｌｋモードに切替える処理を開始し、ＨＦＰ制御部へリソース応答を通知する。
【０１６４】
リソース応答の通知を受けたＨＦＰ制御部は、ＣＤＬ親機１００内の親機制御部１０９との間で携帯着信シーケンスを開始することにより携帯着信を親機制御部１０９へ通知する。これによって親機制御部１０９は着信ベル音鳴動の制御を行い、ＣＤＬ親機１００のスピーカによって着信ベル音の鳴動が開始される。
【０１６５】
図９において、処理ＢはＡＶモードからＴａｌｋモードに切替えて音楽再生を止める処理である。前述のリソース要求を受けたＢＴ無線制御部は、無線通信モードをＡＶモードからＴａｌｋモードに切替えて音楽再生を止める処理を起動する。
【０１６６】
すなわちＢＴ無線制御部は、ＡＶモードの為のリソースを解放した事を意味するリソース解放をＡＶＲＣＰ制御部へ通知する。この通知を受けてＡＶＲＣＰ制御部はＡ２ＤＰ制御部に対してストリーミングの停止を意味するＳｔｒｅａｍ停止通知を送り、それに従ってＡ２ＤＰ制御部は親機通信部に対して音楽再生終了を通知し、それに従って親機通信部はＣＤＬ親機１００の親機制御部１０９に対してＡＶ再生終了を通知する。
【０１６７】
またＡＶＲＣＰ制御部は、前述のリソース解放を受けて、携帯電話機３０ａの再生動作を停止させる為の制御信号（ＰＡＵＳＥ／ＳＴＯＰ＿ＫＥＹ通知）を送る。この制御信号はＢｌｕｅｔｏｏｔｈ（登録商標）通信Ｉ／Ｆ部１２４を介して携帯電話機３０ａへ送信され、携帯電話機３０ａの再生動作は停止される。
【０１６８】
それに応じて携帯電話機３０ａは音声ストリーミングの停止を指示する信号（Ｓｔｒｅａｍ  Ｓｕｓｐｅｎｄ要求）をＣＤＬ親機１００へ送り、この信号はＢｌｕｅｔｏｏｔｈ（登録商標）通信Ｉ／Ｆ部１２４を介してＡ２ＤＰ制御部に送られ、その信号を受け付けた事を意味する信号（Ｓｔｒｅａｍ  Ｓｕｓｐｅｎｄ応答）がＡ２ＤＰ制御部からＢｌｕｅｔｏｏｔｈ（登録商標）通信Ｉ／Ｆ部１２４を介して携帯電話機３０ａへ送信される。
【０１６９】
これらのやり取りが完了すると、Ａ２ＤＰ制御部はＭｉｄｄｌｅ層のＢＴ無線制御部に対して音楽通信停止を指示する音パス制御信号を送り、それに従ってＢＴ無線制御部はそれまでの音楽連携の為の音声パスを停止させ、ＡＶモードからＴａｌｋモードへの遷移が完了する。これによりＣＤＬ親機１００ではスピーカ１２９，１３０での音楽再生音が止まる。
【０１７０】
以上の処理により、広帯域の音声（音楽）再生は停止され、ＣＤＬ親機１００と携帯電話機３０ａは携帯着呼モードに遷移する。
【０１７１】
なお、携帯電話機３０ａから送られる着信通知情報の中に発呼者に関する情報が含まれている場合、ＣＤＬ親機１００の親機制御部１０９は発呼者に関する情報を表示部１０６に表示する。または、親機制御部１０９は当該情報に従って、記憶部１０３に格納されている電話帳データベースから関連情報を検索して、表示部１０６に表示する。
【０１７２】
また親機制御部１０９は、前記携帯着信シーケンスによって携帯着信を通知された際には、親機と接続可能なＣＤＬ子機２００（例えばＣＤＬ子機２００Ａ）に対しても携帯着信を通知する。すなわち、ＣＤＬ無線Ｉ／Ｆ部１０７を介してＤＥＣＴの信号によって携帯着信が発生した事を示す信号を送信する。それに従ってＣＤＬ子機２００においても子機制御部１４７は着信ベル音鳴動の制御を行い、スピーカ１５２によって着信ベル音の鳴動が開始される。
【０１７３】
前述のように、ＣＤＬ親機１００内の親機制御部１０９との間で携帯着信シーケンスが開始された時に、そのシーケンスの中でＣＤＬ親機１００のスピーカ１２９，１３０によって着信ベル音の鳴動が開始される。ユーザは前記着信ベル音の鳴動によって携帯着信の発生を知る事が出来る。
【０１７４】
以上のように、着信ベル音の鳴動と並行してユーザが着呼応答の操作を行う前から無線通信モードの切替処理が自動で行われるので、ユーザが無線通信モード切替の為の操作を行う必要がない。
【０１７５】
以下、音楽再生動作中に着信ベル音の鳴動によって着信に気付いたユーザが着信に応答する操作をした場合について説明する。図１０において、ユーザが着信に応答して通話を希望する場合、ＣＤＬ親機１００またはＣＤＬ親機１００と接続可能なある１つのＣＤＬ子機２００において、着信応答の操作を行う。
【０１７６】
ＣＤＬ親機１００の操作部１０５によって着信応答の操作が行われた場合、親機制御部１０９からＢｌｕｅｔｏｏｔｈ（登録商標）制御部１２３へ着呼応答の指示が送られる。または、あるＣＤＬ子機２００において着信応答の操作が行われた場合、当該ＣＤＬ子機からＤＥＣＴの信号によってＣＤＬ親機１００へ着呼応答に指示が送られ、ＣＤＬ親機１００内では着呼応答の指示がＢｌｕｅｔｏｏｔｈ（登録商標）制御部１２３へ転送される。
【０１７７】
親機制御部１０９からＢｌｕｅｔｏｏｔｈ（登録商標）制御部１２３へ送られた着呼応答の指示は、Ｂｌｕｅｔｏｏｔｈ（登録商標）制御部１２３内では親機通信部が受け、親機通信部はＨＦＰ制御部に対して着呼応答の指示を行う。この時、前述のようにＢＴ無線制御部が既にＢｌｕｅｔｏｏｔｈ（登録商標）の無線通信モードをＡＶモードからＴａｌｋモードに切替えており、ＨＦＰ制御部は前述のソース応答によってその状態を把握しているので、ここで図９に示す処理ＢすなわちＡＶモードからＴａｌｋモードに切替えて音楽再生を止める処理を行う必要はない。
【０１７８】
着呼応答の指示に従って、ＨＦＰ制御部は直ぐにＢｌｕｅｔｏｏｔｈ（登録商標）通信Ｉ／Ｆ部１２４に対して着呼応答の信号（ＡＴＡ）を送るように指示をし、Ｂｌｕｅｔｏｏｔｈ（登録商標）通信Ｉ／Ｆ部１２４を介して当該携帯着信が発生した携帯電話機３０ａへ着呼応答を指示する信号が送信される。
【０１７９】
この着呼応答を指示する信号に従って、当該携帯電話機３０ａは着呼応答の為の処理を行い、先方との接続を行ったことを意味する状態通知（通話中）と音声リンク確立を要求する信号をＣＤＬ親機１００へ送る。
【０１８０】
それに従ってＣＤＬ親機１００のＢｌｕｅｔｏｏｔｈ（登録商標）制御部１２３のＨＦＰ制御部は携帯電話機３０ａとの間の接続起動に関する制御を開始するとともに、携帯電話機３０ａに対してＢｌｕｅｔｏｏｔｈ（登録商標）通信Ｉ／Ｆ部１２４を介して音声リンク応答を行う。
【０１８１】
ＨＦＰ制御部は携帯電話機３０ａとの間の接続が完了すると、ＢＴ無線制御部に対して通話の為の音声パスを形成するように制御し、これによりＣＤＬ親機１００と携帯電話機３０ａとの間で双方向の音声通話路が形成され、携帯着信の通話相手先とＣＤＬ親機１００との間での通話モードに移行する（通話中）。
【０１８２】
ユーザがＣＤＬ子機２００を使って通話する場合、ユーザの声はマイクロホン１５１から入力され、音声入出力制御部１４３によりアナログ音声信号をデジタルデータに変換し、さらにコード化した後、ＣＤＬ無線Ｉ／Ｆ部１４８およびＣＤＬ無線Ｉ／Ｆ部１０７によってＣＤＬ親機１００へ送られる。ＣＤＬ親機１００では通話の為の音声パスによって、Ｂｌｕｅｔｏｏｔｈ（登録商標）通信Ｉ／Ｆ部１２４を介して携帯電話機３０ａへ送られる。
【０１８３】
携帯電話機３０ａからの音声は、親機のＢｌｕｅｔｏｏｔｈ（登録商標）通信Ｉ／Ｆ部１２４にて受信され、通話の為の音声パスを通り、ＣＤＬ無線Ｉ／Ｆ部１０７およびＣＤＬ無線Ｉ／Ｆ部１４８を介してＣＤＬ子機２００へ送られ、ＣＤＬプロトコル制御部１４９にてデコードされることにより音声データが取得される。そして音声入出力制御部１４３にてアナログ信号に変換されてスピーカ１５２から音声として聞くことができる。
【０１８４】
ユーザがＣＤＬ親機１００を使って通話する場合、ユーザの声はマイクロホン１２８から入力され、音声入出力制御部１０４によりアナログ音声信号をデジタルデータに変換し、通話の為の音声パスによって、Ｂｌｕｅｔｏｏｔｈ（登録商標）通信Ｉ／Ｆ部１２４を介して携帯電話機３０ａへ送られる。携帯電話機３０ａからの音声は、親機のＢｌｕｅｔｏｏｔｈ（登録商標）通信Ｉ／Ｆ部１２４にて受信され、通話の為の音声パスを通り、音声入出力制御部１０４にてアナログ信号に変換されてスピーカ１３０から音声として聞くことができる。
【０１８５】
以上のように、コードレス電話装置のＣＤＬ親機１００またはＣＤＬ子機２００において音楽再生動作中に携帯電話機にて携帯着信が発生した場合、Ｂｌｕｅｔｏｏｔｈ（登録商標）制御部１２３は直ぐに音声通話の為の無線リソースを確保し、高音質の無線リソースを解放し、無線リソースを優先度の高い通話の為に明け渡すことによって音楽再生動作は強制終了される。
【０１８６】
そしてＣＤＬ親機１００のスピーカによって着信ベル音の鳴動が開始される時には、通話の為の無線リソースの確保や携帯電話機に対する再生停止通知などの処理が並行して進められ、ユーザによる着呼応答の操作がされる時にはほぼ完了するので、ＣＤＬ親機１００は直ぐにＢｌｕｅｔｏｏｔｈ（登録商標）通信Ｉ／Ｆ部１２４を制御して当該携帯電話機３０ａへ着呼応答を送信する事ができ、ユーザが着呼応答時に音楽再生を止めたり、または無線リソース確保のための操作を行う必要はなく、操作の煩わしさ解消し、スムーズな通話状態への遷移が可能になる。
【０１８７】
またＣＤＬ子機２００においてユーザが着信に応答する操作をした場合にも、当該ＣＤＬ子機２００からＣＤＬ無線Ｉ／Ｆ部１０７を介してＤＥＣＴの信号によってＣＤＬ親機１００へ着呼応答を指示する信号が送られ、ＣＤＬ親機１００内ではこの信号をＢｌｕｅｔｏｏｔｈ（登録商標）制御部１２３へ転送し、携帯電話機に着呼応答を通知する。
【０１８８】
以下、音楽再生動作中にＣＤＬ親機１００またはＣＤＬ子機２００から携帯電話網５０へ発信する操作をした場合について説明する。
【０１８９】
図１１において、音楽連携によって携帯電話機３０ａから送られる音声データを再生しているＣＤＬ親機１００またはＣＤＬ子機２００から携帯電話網５０への発信を希望する操作をした場合、ＣＤＬ親機１００の親機制御部１０９は連携終了をＢｌｕｅｔｏｏｔｈ（登録商標）制御部１２３の親機通信部に対して通知し、それに従って親機通信部は連携終了通知をＡＶＲＣＰ制御部へ通知する。この通知によってＡＶモードのリソースを解放する処理が起動される。
【０１９０】
図１１において、処理ＣはＡＶモードのリソースを解放する処理を示す。処理Ｃにおいて、連携終了通知を受けてＡＶＲＣＰ制御部は直ぐにＭｉｄｄｌｅ層のＢＴ無線制御部に対してＡＶモードのリソースを解放する為のリソース解放の要求を行なう。この要求に従ってＢＴ無線制御部はＡＶモードのリソースを解放する。
【０１９１】
またＡＶＲＣＰ制御部はＡ２ＤＰ制御部に対してストリーミングの停止を意味するＳｔｒｅａｍ停止通知を送り、それに従ってＡ２ＤＰ制御部は親機通信部に対して音楽再生終了を通知し、それに従って親機通信部はＣＤＬ親機１００の親機制御部１０９に対してＡＶ再生終了を通知する。
【０１９２】
またＡＶＲＣＰ制御部は、親機通信部から通知された連携終了通知を受けて、携帯電話機３０ａの再生動作を停止させる為の制御信号（ＰＡＵＳＥ／ＳＴＯＰ＿ＫＥＹ通知）を送る。この制御信号はＢｌｕｅｔｏｏｔｈ（登録商標）通信Ｉ／Ｆ部１２４を介して携帯電話機３０ａへ送信され、携帯電話機３０ａの再生動作は停止される。
【０１９３】
それに応じて携帯電話機３０ａは音声ストリーミングの停止を指示する信号（Ｓｔｒｅａｍ  Ｓｕｓｐｅｎｄ要求）をＣＤＬ親機１００へ送り、この信号はＢｌｕｅｔｏｏｔｈ（登録商標）通信Ｉ／Ｆ部１２４を介してＡ２ＤＰ制御部に送られ、その信号を受け付けた事を意味する信号（Ｓｔｒｅａｍ  Ｓｕｓｐｅｎｄ応答）がＡ２ＤＰ制御部からＢｌｕｅｔｏｏｔｈ（登録商標）通信Ｉ／Ｆ部１２４を介して携帯電話機３０ａへ送信される。
【０１９４】
これらのやり取りが完了すると、Ａ２ＤＰ制御部はＭｉｄｄｌｅ層のＢＴ無線制御部に対して音楽通信停止を指示する音パス制御信号を送り、それに従ってＢＴ無線制御部はそれまでの音楽連携の為の音声パスを停止させる。これによりＣＤＬ親機１００ではスピーカ１２９，１３０での音楽再生音が止まる。
【０１９５】
図１１の処理Ｄは、発信番号が入力された場合の処理を示す。処理Ｄにおいて、ユーザがＣＤＬ親機１００またはＣＤＬ子機２００によって携帯電話網５０へ発信するための発信番号（例えば１２３−４５６−７８９０）を入力すると、ＣＤＬ親機１００の親機制御部１０９は当該発信番号をＢｌｕｅｔｏｏｔｈ（登録商標）制御部１２３に転送し、Ｂｌｕｅｔｏｏｔｈ（登録商標）制御部１２３のＨＦＰ制御部は直ぐにＭｉｄｄｌｅ層のＢＴ無線制御部に対して音声通話の為のリソース要求を行なう。この場合のリソース要求は、携帯電話機３０ａとの間でＴａｌｋモードの通信リソースを要求する（ｔｙｐｅ＝携帯電話機３０ａ、ｍｏｄｅ＝Ｔａｌｋ）。このリソース要求を受けたＢＴ無線制御部は、Ｂｌｕｅｔｏｏｔｈ（登録商標）の無線通信モードをＡＶモードからＴａｌｋモードに切替える処理を開始し、ＨＦＰ制御部へリソース応答（ｏｋ）を通知する。
【０１９６】
リソース応答の通知を受けたＨＦＰ制御部は、ＣＤＬ親機１００内の親機制御部１０９との間で発呼起動のシーケンスを開始する。すなわち入力された発信番号（例えば１２３−４５６−７８９０）をＢｌｕｅｔｏｏｔｈ（登録商標）通信Ｉ／Ｆ部１２４を介して携帯電話機３０ａへ送信する。この発信番号の送信に従って、当該携帯電話機３０ａは携帯電話網５０に対する発信の処理を開始し、携帯電話網５０へ当該発信番号を送信する。そして携帯電話機３０ａは呼び出し中を意味する状態通知をＣＤＬ親機１００へ送る。
【０１９７】
そして携帯電話機３０ａは、携帯電話網５０へ発信番号を送信し、相手先への呼び出し状態になった場合に音声リンク確立を要求する信号をＣＤＬ親機１００へ送る。それに従ってＣＤＬ親機１００のＨＦＰ制御部は携帯電話機３０ａとの間の接続起動に関する制御を開始するとともに、Ｂｌｕｅｔｏｏｔｈ（登録商標）通信Ｉ／Ｆ部１２４を介して携帯電話機３０ａへ音声リンク応答を行なう。
【０１９８】
そしてＨＦＰ制御部は、ＢＴ無線制御部に対して通話の為の音声パスを形成するように制御し、これによりＣＤＬ親機１００と携帯電話機３０ａとの間で双方向の音声通話路が形成される。ただし、これはまだ携帯電話機３０ａが携帯電話網５０へ発信番号を送信し、相手先への呼び出しを行っている状態である（呼び出し中）。
【０１９９】
図１２において、呼び出し相手が応答し、携帯電話機３０ａと通話相手との通話路接続が完了すると、携帯電話機３０ａからＢｌｕｅｔｏｏｔｈ（登録商標）通信Ｉ／Ｆ部１２４を介してＨＦＰ制御部へ相手応答を示す状態通知が送られる。これによって通話相手先とＣＤＬ親機１００との間での携帯通話モードに移行する（通話中）。
【０２００】
この場合も、ユーザがＣＤＬ子機２００を使って通話する場合は、ユーザの声はＣＤＬ親機１００へ送られ、ＣＤＬ親機１００からは通話の為の音声パスによって、Ｂｌｕｅｔｏｏｔｈ（登録商標）通信Ｉ／Ｆ部１２４を介して携帯電話機３０ａへ送られる。また携帯電話機３０ａからの音声は、親機のＢｌｕｅｔｏｏｔｈ（登録商標）通信Ｉ／Ｆ部１２４にて受信され、通話の為の音声パスを通り、ＣＤＬ親機１００からＣＤＬ子機２００へ送られ、スピーカ１５２から音声として聞くことができる。
【０２０１】
以上の処理により、コードレス電話装置のＣＤＬ親機１００またはＣＤＬ子機２００において音楽再生動作中に、ＣＤＬ親機１００またはＣＤＬ子機２００において携帯電話網５０へ発信するために操作をした場合にも、発信の操作に連動してＣＤＬ親機１００のＢｌｕｅｔｏｏｔｈ（登録商標）制御部１２３は直ぐに高音質の無線リソースを解放し、音声ストリームを停止させるので、この場合も音楽再生動作は強制終了される。そして通話の為の無線リソースを確保し直すので、Ｂｌｕｅｔｏｏｔｈ（登録商標）制御部１２３はＢｌｕｅｔｏｏｔｈ（登録商標）通信Ｉ／Ｆ部１２４を介して携帯電話機３０へ発呼起動を行う事が出来る。
【産業上の利用可能性】
【０２０２】
本発明は、携帯電話機により音声データを再生する場合に携帯電話機との連携を向上できる電話装置に有用である。
【符号の説明】
【０２０３】
１  コードレス電話装置（ＣＤＬ装置）
１００  コードレス電話親機（ＣＤＬ親機）
２００  コードレス電話子機（ＣＤＬ子機）
３０  携帯電話機
４０  固定電話網
１０１  固定電話回線Ｉ／Ｆ部
１０３，１４２  記憶部
１０４，１４３  音声入出力制御部
１０５，１４４  操作部
１０６，１４５  表示部
１０７，１４８  ＣＤＬ無線Ｉ／Ｆ部
１０８，１４９  ＣＤＬプロトコル制御部
１０９  親機制御部
１１０  呼制御部
１１１  子機リモコン制御部
１１２  音声ストリーム処理部
１１３  音楽プレーヤ制御部
１２１  無線ＬＡＮ制御部
１２２  無線ＬＡＮ通信Ｉ／Ｆ部
１２３  Ｂｌｕｅｔｏｏｔｈ（登録商標）制御部
１２４  Ｂｌｕｅｔｏｏｔｈ（登録商標）通信Ｉ／Ｆ部
１２５  留守番電話制御部
１２６  子機／携帯端末充電部
１２７  ＵＳＢ通信Ｉ／Ｆ部
１２８，１５１  マイクロホン
１２９，１３０，１５２  スピーカ
１４７  子機制御部
１５０  充電池
【図１】
2015115949.tif 000003
【図２】
2015115949.tif 000004
【図３】
2015115949.tif 000005
【図４】
2015115949.tif 000006
【図５】
2015115949.tif 000007
【図６】
2015115949.tif 000008
【図７】
2015115949.tif 000009
【図８】
2015115949.tif 000010
【図９】
2015115949.tif 000011
【図１０】
2015115949.tif 000012
【図１１】
2015115949.tif 000013
【図１２】
2015115949.tif 000014